(57)【要約】【課題】ユ−ザ−はレリ−ズスイッチのストロ−クを任意に調整できず、レリ−ズスイッチをカスタマイズできない。【解決手段】第２の電気接片１４ｂは本体上の台座２２２に片持ち梁状に支持され、その自由端に隣接する部分に側辺１４ｂ１が一体に成形されている。本体に形成した開口に収納されて開口底部のねじ孔に螺合された調整ねじ３０が、第２の電気接片１４ｂの側辺１４ｂ１の自由端の上方に設けられ、調整ねじのねじ込み量に対応して側辺１４ｂ１が押圧、変位され、側辺の変位に対応して第２の電気接片も変位する。本体の開口を介して調整ねじ３０を外部から操作、調整すれば、レリ−ズスイッチの１ｓｔストロ−クに該当する第１、第２の電気接片１４ａ、１４ｂの間隔が任意に調整される。【選択図】図１
2006317482.tif 000002
【特許請求の範囲】
【請求項１】
撮像装置のレリ−ズスイッチにおいて、
レリ−ズ釦と、
第１の電気切片と、
上記レリ−ズ釦の押圧操作による所定量の変位に伴って上記第１の電気切片と電気的に導通する第２の電気切片と、
上記レリ−ズ釦の押圧操作による上記所定量を超えた変位に伴って上記第１の電気切片およびに上記第２の電気切片と電気的に導通する第３の電気切片と、
上記レリ−ズ釦の非操作時での上記第２の電気切片の静止位置を上記撮像装置の外部より調整可能な調整手段と、
を具備することを特徴とする撮像装置のレリ−ズスイッチ。
【請求項２】
上記第２の電気接片は側方に伸びた側片を有して成形され、上記調整手段は上記第２の電気切片の側片を押圧、変位して上記第２の電気切片の静止位置を調整することを特徴とする請求項１記載の撮像装置のレリ−ズスイッチ。
【請求項３】
上記調整手段は、上記第２の電気切片を変位させて該静止位置の調整を可能とする調整部材を有し、上記撮像装置の外観部品に設けられた開口を介して該調整手段が操作可能であることを特徴とする請求項１または２記載の撮像装置のレリ−ズスイッチ。
【請求項４】
上記調整部材はねじ部材であることを特徴とする請求項３記載の撮像装置のレリ−ズスイッチ。
【請求項５】
上記開口を封止するカバ−をさらに具備し、該カバ−は上記開口を封止する本体を上記外観部品に連結する連結片を有して弾性材料から成形されていることを特徴とする請求項１乃至４記載の撮像装置のレリ−ズスイッチ。
【発明の詳細な説明】
【技術分野】
【０００１】
本発明は、ビデオディスクレコ−ダ、ビデオレコ−ダ、フィルムカメラ、デジタルカメラ、携帯電話などの撮像装置のレリ−ズスイッチに関する。
【背景技術】
【０００２】
カメラなどの撮像装置のレリ−ズスイッチは、一般的に１ｓｔレリ−ズ（半押し）と２ｎｄレリ−ズ（全押し）の２段スイッチとなっており、１ｓｔレリ−ズで撮影準備動作が開始され、２ｎｄレリ−ズで撮影動作が開始される。たとえば、デジタルカメラにおいては、レリ−ズスイッチの１ｓｔレリ−ズがＯＮされるまで、撮像素子（ＣＣＤ）が所定周期で連続的に動作し、画像デ−タ（スル−画）が電子ビュ−ファインダ、背面ＬＣＤパネルに表示される。そして、１ｓｔレリ−ズがＯＮされると、測光センサで測光し、その測光結果に基づいて測光演算がなされ、測距センサで測距してその測距結果に基づいて自動フォ−カシング（ＡＦ）がなされる。また、２ｎｄレリ−ズがＯＮされると、撮像素子を動作させて露光動作（撮影）がなされ、撮像素子に蓄積した電荷が光電変換され、ＣＣＤ出力処理回路を介して画像デ−タが読み出され、所定の画像処理を施されて画像メモリに記憶される。
【０００３】
概略、レリ−ズスイッチは、本体表面の開口に押し込み可能に収納されたレリ−ズ釦と、レリ−ズ釦の下方にその平坦面を上下方向に所定間隔離間して重ねて配置された第１、第２、第３の３枚の短冊状の電気接片とを備えて構成され、３枚の電気接片は、本体に設けた台座に片持ち梁状に支持されている。その自由端で第１の電気切片の平坦面の上面はレリ−ズ釦の下端に当接して本体から突出する方向の付勢力をレリ−ズ釦に付与し、第２、第３の電気接片の自由端は、その平坦面の上面が本体に設けたストッパに当接することにより所定位置にいずれも保持され、それによって、第１、第２の電気接片の間隔と、第２、第３の電気接片の間隔とが所定長にそれぞれ維持されている。
【０００４】
第１の電気接片からの付勢力に抗してレリ−ズ釦を押し込み、レリ−ズ釦によって第１の電気接片を変形させて所定量変位させると、第１の電気接片が第２の電気接片に当接さされて、第１、第２の電気接片を含む電気回路が閉じられて、１ｓｔレリ−ズ（半押し）が設定され（ＯＮとなり）、第１、第２の電気接片の間隔は１ｓｔレリ−ズのためのストロ−クＳ１に相当する。また、レリ−ズ釦をさらに押し込んでレリ−ズ釦によって第１の電気接片とともに第２の電気接片を変形させて所定量変位させると、第１、第２の電気接片が第３の電気接片に当接されて、第１、第２、第３の電気接片を含む電気回路が閉じられて、２ｎｄレリ−ズ（全押し）が設定され（ＯＮとなり）、第２、第３の電気接片の間隔は２ｎｄのストロ−クに相当する。
【０００５】
レリ−ズスイッチの１ｓｔレリ−ズのストロ−ク、２ｎｄのストロ−クはその設計仕様によって所定値とされ、所定値のストロ−クを持つレリ−ズスイッチ付の撮像装置が製造・出荷されている。しかし、１ｓｔレリ−ズのストロ−ク、２ｎｄのストロ−クを任意の値に設定して好みの状態でレリ−ズスイッチを操作したいという要望が撮像装置のユ−ザ−から寄せられている。
【０００６】
従来においては、レリ−ズスイッチのカスタマイズを望むユ−ザ−が撮像装置をサ−ビスセンタ−に持ち込んで１ｓｔレリ−ズのストロ−ク、２ｎｄのストロ−クの調整を依頼し、サ−ビスセンタ−ではこれを修理として取り扱って、出荷後でのストロ−ク調整に対処している。
【０００７】
たとえば、特開平０９−３２５４０７号公報には、レリ−ズ釦を操作しない状態での第２の電気接片の位置（静止位置、初期位置）を調整ねじで調整する構成が開示されている。つまり、第２、第３の電気接片の自由端が当接されてその自由端を所定位置に保持するストッパに調整ねじが設けられ、調整ねじは、その下端が第２の電気接片の自由端で平坦面の上面に当接するように、ストッパに配置されている。
この構成では、調整ねじのねじ込みに対応して第２の電気接片の位置が調整され、それによって、第１、第２の電気接片の間隔（１ｓｔレリ−ズのストロ−ク）と第２、第３の電気接片の間隔（２ｎｄのストロ−ク）とが同時に調整できる。
【０００８】
しかしながら、調整ねじは撮像装置の本体の内部に収納され、外部からの調整ねじの調整を考慮しておらず、調整ねじの調整のためには、本体を分解する必要がある。そのため、ユ−ザ−がレリ−ズスイッチのストロ−クを任意に調整、設定できず、ユ−ザ−は撮像装置をサ−ビスセンタ−に持ち込んでレリ−ズスイッチのカスタマイズを依頼せざるを得ない。そして、サ−ビスセンタ−での持込みによる修理期間中においては、当然ながら、ユ−ザ−は撮像装置を使用できない。また、レリ−ズスイッチのカスタマイズに対するユ−ザ−の好みは多種多様であり、ユ−ザ−の好みに合致したストロ−ク調整をサ−ビスセンタ−において行なうことは容易でない。
【特許文献１】特開平０９−３２４３０７号公報
【発明の開示】
【発明が解決しようとする課題】
【０００９】
ユ−ザ−はレリ−ズスイッチのストロ−クを任意に調整、設定できず、レリ−ズスイッチをカスタマイズできない。
【課題を解決するための手段】
【００１０】
本発明の撮像装置のレリ−ズスイッチは、レリ−ズ釦と、第１の電気切片と、上記レリ−ズ釦の押圧操作による所定量の変位に伴って上記第１の電気切片と電気的に導通する第２の電気切片と、上記レリ−ズ釦の押圧操作による上記所定量を超えた変位に伴って上記第１の電気切片およびに上記第２の電気切片と電気的に導通する第３の電気切片と、上記レリ−ズ釦の非操作  時の上記第２の電気切片の静止位置を上記撮像装置の外部より調整可能な調整手段と、を具備して構成されたことを特徴としている。
【発明の効果】
【００１１】
本発明によれば、レリ−ズ釦の非操作  時の第２の電気接片の静止位置を調整手段によって撮像装置の外部から調整でき、第２の電気接片の位置調整に対応して第１、第２の電気接片の間隔（１ｓｔレリ−ズのストロ−ク）と第２、第３の電気接片の間隔（２ｎｄのストロ−ク）とが調整され、ユ−ザ−はレリ−ズのストロ−クを任意に調整、設定できる。
【発明を実施するための最良の形態】
【００１２】
本発明では、たとえば、調整手段は第２の電気接片を押圧、変形させてその静止位置を調整する調整ねじとされ、ねじ部材は、撮像装置の本体に形成された開口底部のねじ孔に螺合され、開口を介して外部から操作可能とされる。
【実施例】
【００１３】
図１は本発明の一実施例に係る撮像装置のレリ−ズスイッチの概略斜視図を、図２はレリ−ズスイッチの配設される撮像装置の本体の部分斜視図を、図３は図１の矢視Ａ−Ａに沿ったレリ−ズスイッチの断面図を、図４は図１の線Ｂ−Ｂに沿ったレリ−ズスイッチの断面図をそれぞれ示す。
【００１４】
図１〜図４に示すように、レリ−ズスイッチ１０はレリ−ズ釦１２と３枚の短冊状の電気接片１４（１４ａ〜１４ｃ）とを備えて構成され、レリ−ズ釦１２は本体２２の上面に形成された有底の開口２２１内に上下方向に押込み可能に収納されている。レリ−ズ釦１２は開口２２１の底部の貫通孔２２１ａを介して下方に伸び、３枚の電気接片１４はレリ−ズ釦の下方にその平坦面を上下方向に所定間隔離間して重ねて配置され、撮像装置の本体２２上の台座２２２にその一端をねじ止めされて片持ち梁状に支持されている。なお、本体２２は、その内蔵部品を被覆して外部から遮蔽する外観部品（外装部品）ということができる。
【００１５】
片持ち梁状に支持された３枚の電気接片１４のうち、上位に位置する第１の電気切片１４ａの平坦面の上面は、その自由端でレリ−ズ釦１２の下端に当接して弾性変形することにより、本体から突出する方向の付勢力をレリ−ズ釦に付与している。
【００１６】
図４に示すように、中位に位置する第２の電気接片１４ｂおよび下位に位置する第３の電気接片１４ｃの自由端は、その平坦面の上面が本体２２上のストッパ２２３の段部２２３ａ、２２３ｂに当接して所定位置に保持され、第１、第２の電気接片１４ａ、１４ｂの間隔と、第２、第３の電気接片１４ｂ、１４ｃの間隔とが所定長に設定されている。第１、第２の電気接片１４ａ、１４ｂの間隔がレリ−ズスイッチの１ｓｔレリ−ズのストロ−クに、第２、第３の電気接片１４ｂ、１４ｃの間隔Ｓ２が２ｎｄレリ−ズのストロ−クにそれぞれ対応する。実施例では、レリ−ズ釦１２および３枚の隣接する電気接片１４が確実に当接するように、レリ−ズ釦１２の軸中心と略直線上に整列する位置で第２、第３の電気接片１４ｂ、１４ｃの平坦面の上面に球状突起１４ｄがそれぞれ成形されている。そのため、具体的には、第１の電気接片１４ａの下面と第２の電気接片１４ｂの球状突起１４ｄとの間隔Ｓ１が１ｓｔレリ−ズのストロ−クとなり、第２の電気接片１４ｂの下面と第３の電気接片１４ｃの球状突起１４ｄとの間隔Ｓ２が２ｎｄレリ−ズのストロ−クとなる。
【００１７】
図４に示すように、台座２２２は３枚の台座片を重ねて構成され、台座片にそれぞれ形成した位置決め突起２２２ａが電気接片１４の対応する位置決め孔に嵌合されることにより、電気接片の長手方向および幅方向で電気接片が互いに位置決めされている。また、本体２２の上面にも、台座片の位置決め突起２２２ａと同様の位置決め突起２２２ｂが形成され、下位の台座片２２２の下面の対応する位置決め孔に嵌合されて取付け台座２２２を位置決めし、ねじ部材２４が本体２２のねじ孔２２ａに螺合されて台座を本体上に固着している。
なお、３枚の電気接片１４が導電性材料から成形されているのに対して、台座２２２、ストッパ２２３は、本体２２と同様に、非導電性材料から成形されている。
【００１８】
図１に示すように、第２の電気接片１４ｂは、球状突起１４ｄの位置する部分から側方に伸びた短冊状の側辺１４ｂ１を一体に有しており、第２の電気接片を変位するための調整手段３０が、側辺の自由端でその平坦面の上面を押圧可能に設けられている。調整手段３０は、実施例では、調整ねじ（ねじ部材）とされ、その下端が側辺１４ｂ１の自由端でその平坦面の上面を押圧可能となっている。図２に示すように、レリ−ズ釦１２の収納される開口２２１に隣接して別の有底の開口２２４が本体２０の上面に形成され、調整ねじ（調整手段）３０はこの開口内に収納されている。
【００１９】
図３に示すように、開口２２４の底部にねじ孔２２４ａが形成され、このねじ孔に調整ねじ３０が螺合されている。調整ねじ３０は第２の電気接片の側辺１４ｂ１の自由端の上方に位置し、調整ねじをねじ込むことにより、そのねじ込み量に対応して側辺が押圧、変位され、側辺の変位に対応して第２の電気接片１４ｂも変位する。
【００２０】
調整ねじ３０のねじ込み量を調整することにより、レリーズ釦１２の非操作時における側片１４ｂ１への調整ねじの当接前の位置（静止位置）から第２の電気接片１４ｂは変位し、第２の電気接片の変位を調整して、第１、第２の電気接片１４ａ、１４ｂの間隔Ｓ１（第１の所定量）が調整される。つまり、調整ねじ３０がねじ込まれると、第２の電気接片の側片１４ｂ1に当接して（図３（Ａ）、図４（Ａ）参照）、側片を押圧、変位させ、側片の変位によって、第２の電気接片１４ｂが静止位置から変位される（図３（Ｂ）、図４（Ｂ）参照）。調整ねじ３０による側片１４ｂ1の押圧、変位を介した第２の電気接片１４ｂの変位によって、第２の電気接片は第１の電気接片から離反され、レリーズ釦１２の非操作時における第１、第２の電気接片１４ａ、１４ｂの間隔Ｓ１は、図３（Ａ）、図４（Ａ）に示すＳ１ａから図３（Ｂ）、図４（Ｂ）に示すＳ１ｂ（Ｓ１ａ＜Ｓ１ｂ）に変化し調整される。
【００２１】
このように、上下方向に重ねて配置された３つの電気接片１４ａ〜１４ｃのうち、中位の第２の電気接片の側辺が１４ｂ１を介して調整ねじ３０によって押圧、変位されることにより、第２の電気接片１４ｂも変位して、第１、第２の電気接片１４ａ、１４ｂの間隔Ｓ１が調整される。
本体２０の開口２２４に収納、螺着された調整ねじ３０は本体の外部から操作され、調整ねじの操作による第２の電気接片１４ｂの押圧、変位によって、第１、第２の電気接片１４ａ、１４ｂの間隔Ｓ１、つまりは、レリ−ズスイッチの１ｓｔレリ−ズのストロ−クが調整できる。
【００２２】
ここで、レリ−ズスイッチの１ｓｔレリ−ズのストロ−ク（第１、第２の電気接片１４ａ、１４ｂの間隔Ｓ１：第１の所定量）と、２ｎｄレリ−ズのストロ−ク（第２、第３の電気接片１４ｂ、１４ｃの間隔Ｓ２：第２の所定量）との和であるレリ−ズスイッチの総ストロ−クは変わらないから、レリ−ズスイッチの１ｓｔレリ−ズのストロ−ク調整に連動して２ｎｄレリ−ズのストロ−クも同時に調整される。
【００２３】
たとえば、調整ねじ３０は、六角孔付ねじ、プラス溝付ねじ（プラスねじ）、マイナス溝付ねじ（マイナスねじ）のような汎用性のあるねじ（ねじ部材）とされ、身近に位置する六角レンチ、プラスドライバ−などによって必要に応じて容易に操作される。そのため、撮像装置２０のユ−ザ−は、必要に応じて、レリ−ズスイッチのストロ−クを自己の好みに応じて任意に調整でき、レリ−ズスイッチを自由にカスタマイズできる。そして、従来のようにサ−ビスセンタ−に持ち込む必要がないため、修理期間のような撮像装置を使用できない期間は存在しない。そして、ユ−ザ−は自己の好みに合わせて自らがストロ−ク調整を行なうことにより、世の中でただ１つのレリ−ズスイッチを獲得できる。
【００２４】
たとえば、調整ねじ３０は第２の電気接片の側片１４ｂ１に当接しない離反した位置に初期設定され、ユ−ザ−が調整ねじ３０を操作してねじ込まない限り、第２の電気接片１４ｂは変位のないその静止位置に維持される。
【００２５】
第２の電気接片１４ｂを押圧、変位させる調整手段が調整ねじ（ねじ部材）３０であるため、第２の電気接片１４ｂの変位、つまりは、レリ−ズスイッチの１ｓｔレリ−ズ、２ｎｄレリ−ズのストロ−クが連続的に調整される。そのため、１ｓｔレリ−ズ、２ｎｄレリ−ズのストロ−クの微調整が可能となり、ユ−ザ−の多種多様な要求にも十分に対応できる。
【００２６】
第２の電気接片１４ｂに側片１４ｂ１を設けて、調整ねじ３０が側片を押圧、変位させて第２の電気接片を変位させる構成では、レリ−ズ釦１２から十分に離反した位置に調整ねじを配置でき、調整ねじの配置位置が自由に設定できる。なお、実施例では、側片１４ｂ１は第２の電気接片１４ｂの本体から直角に側方に伸びているとはいえ、その伸びる方向は直角に限定されない。
【００２７】
図３に示すように、調整ねじ３０のヘッドと本体の有底の開口２２４との間に圧縮コイルばね３２のような付勢手段が介在されている。圧縮コイルばね３２の上端部は調整ねじのヘッド下面に、下端部は開口２２４の底部にそれぞれ接触、押圧して接触摩擦を生じ、接触摩擦は振動や衝撃などによる調整ねじ３０の予期しない回動を阻止するため、調整後のストロ−ク変動が防止される。
付勢手段は圧縮コイルばね３２に限定されず、たとえば、竹の子ばねや板ばねを付勢手段としてもよい。
【００２８】
図２、図３に示すように、調整ねじ３０、圧縮コイルばね３２の収納される本体２０の開口２２４を閉塞するカバ−（蓋部材）３４が本体２２に設けられている。カバ−３４は、開口２２４を密着、封止するカバ−本体３４ａと、カバ−本体を本体２２に連結、係止する連結片３４ｂとを一体に有して、ゴム、プラスチックなどの弾性材料から成形されている。連結片３４ｂは、その末端が下段となった上下方向の段付形状とされ、末端の下段部は本体内部に挿入され、本体２２の内部で上方に伸びた係合突起２２５の係合される係合孔３４ｂ１が末端下段部に形成されている。
【００２９】
カバ−３４は、調整ねじ３０の操作時以外においては、開口２２４を密着、封止するため、開口が調整ねじを操作するために本体上面に形成されているにもかかわらず、この開口を介した本体内への塵芥の侵入が防止できる。
図５はカバ−３４を開口２２４から取り除いて開口を開放した状態での本体２２の部分断面図を示し、この開放状態で、たとえば、六角レンチを開口に挿入し、調整ねじ３０の頭部に設けられた六角孔に嵌合させ調整ねじを回転操作してレリ−ズスイッチのストロ−クが調整される。
連結片３４ｂの係合孔３４ｂ１に本体の係合突起２２５を係合して、カバ−３４が本体２０に連結、係止されているため、開口２２４からカバ−３４を取り除いて調整ねじ３０を調整する間も、カバ−は本体から分離されず、カバ−の紛失が防止される。
【００３０】
また、レリ−ズ釦１２の軸部は径方向に弾性変形可能な形状に成形されている。つまり、図１、図３に示すように、レリ−ズ釦１２の軸部に切り込み１２１が設けられるとともに一対の突起１２２が軸部の側面に成形されている。切り込み１２１は半径方向の水平な切り込み１２１ａと軸線方向の垂直な切り込み１２１ｂとを交差させた略Ｌ字形状とされ、水平、垂直の切り込みによってレリ−ズ釦１２の軸部の一部であって軸線方向に沿った弾性部分１２ａは片持ち梁となり、この片持ち梁１２ａに一対の突起１２２が設けられている。
【００３１】
このように、レリ−ズ釦１２の軸部に片持ち梁部１２ａを成形し、一対の突起１２２が片持ち梁に１８０°離反して設けられているため、レリ−ズ釦１２を本体の開口２２１に収納して開口底部の貫通孔２２１ａに押し込めば、片持ち梁部１２ａの弾性によって、一対の突起１２２が半径方向内方に逃げながらレリ−ズ釦の軸部が貫通孔を通過し、貫通孔を抜けると一対の突起が初期位置に復帰する。ここで、第１の電気接片１４ａはレリ−ズ釦１２に当接して上方への予圧としての付勢力をレリ−ズ釦に付与するように配置されている。そのため、初期位置に復帰した突起１２２が第１の電気接片１４ａからの付勢力によって開口２２１の底部下面に押圧されることにより、レリ−ズ釦１２は所定位置に保持される。
そのため、レリ−ズ釦１２を開口２２１に収納して貫通孔２２１ａに押し込めば、レリ−ズ釦は自動的に所定位置に設定、保持され、レリ−ズ釦は迅速、容易に所定位置に配置される。また、レリ−ズ釦１２にストッパを設ける必要がなく、レリ−ズスイッチ１０の構成が簡単化される。
【００３２】
上記のように本発明によれば、調整ねじ（調整手段）３０を外部から操作して調整すれば、第２の電気接片１４ｂの変位が調整され、第２の電気接片の変位に対応してレリ−ズスイッチの１ｓｔレリ−ズのストロ−クおよび２ｎｄレリ−ズのストロ−クが調整される。そのため、ユ−ザ−はレリ−ズスイッチのストロ−クを任意に設定でき、レリ−ズスイッチを自己の好みに合わせて自由に設定することができる。
【産業上の利用可能性】
【００３３】
本発明は、１ｓｔレリ−ズ（半押し）と２ｎｄレリ−ズ（全押し）の２段スイッチからなるレリ−ズスイッチを用いた撮像装置に広範囲に応用できる。
【図面の簡単な説明】
【００３４】
【図１】本発明の一実施例に係る撮像装置のレリ−ズスイッチの概略斜視図を示す。
【図２】レリ−ズスイッチの配設される撮像装置の本体の部分斜視図を示す。
【図３】図１の線Ａ−Ａに沿ったレリ−ズスイッチの断面図を示し、（Ａ）は第２の電気接片の変位前の状態を、（Ｂ）は変位後の状態をそれぞれ示す。
【図４】図１の線Ｂ−Ｂに沿ったレリ−ズスイッチの断面図を示し、（Ａ）は第２の電気接片の変位前の状態を、（Ｂ）は変位後の状態をそれぞれ示す。
【図５】カバ−を開口から取り除いて開口を開放した状態での本体の部分断面図を示す。
【符号の説明】
【００３５】
１０      レリ−ズスイッチ
１２      レリ−ズ釦
１４（１４ａ、１４ｂ、１４ｃ）  電気接片
１４ｂ１    第２の電気接片の側片
１４ｄ    球状突起
２０      撮像装置
２２      本体（外観部品）
２２１    レリ−ズ釦収納用開口
２２２    台座
２２３    ストッパ
２２４    調整ねじ収納用開口
３０      調整ねじ（調整手段）
３２      圧縮コイルばね
３４      カバ−
【図１】
2006317482.tif 000003
【図２】
2006317482.tif 000004
【図３】
2006317482.tif 000005
【図４】
2006317482.tif 000006
【図５】
2006317482.tif 000007